(57)【要約】【課題】  各下水処理場にシミュレーションの内容がわかる技術者を配置する必要がなく、水質シミュレーションを行なうことができる下水処理場の運転管理システムを提供する。【解決手段】  下水処理場の運転システム１０は、下水処理場１の運転条件を入力する入出力部１４と、下水処理場１から送られる状態量を蓄積するデータ蓄積部１２と、予め水質シミュレータが内蔵され、データ蓄積部１２からの状態量と入出力部１４からの運転条件とに基づいて水質シミュレーションを行なう水質予測部１３とを備えている。水質予測部に対して水質シミュレータのパラメータが、パラメータ入力部１５により入力される。水質予測部１３で行なわれた水質パラメータの結果は、入出力部１４に出力される。【選択図】  図１
2006095440.tif 000002
【特許請求の範囲】
【請求項１】
下水処理場における状態量に基づいて水質シミュレーションを行なう、下水処理場の運転管理システムであって、
下水処理場の運転条件を入力する入出力部と、
下水処理場から送られる状態量を蓄積するデータ蓄積部と、
予め水質シミュレータが内蔵され、データ蓄積部からの状態量と入出力部からの運転条件とに基づいて水質シミュレーションを行なう水質予測部と、
水質予測部に対して水質シミュレータのパラメータを入力するパラメータ入力部とを備え、
水質予測部で作成された水質シミュレーションの結果を入出力部に出力することを特徴とする下水処理場の運転管理システム。
【請求項２】
パラメータ入力部は、データ蓄積部からの状態量に基づいて所望のサイクルで水質シミュレータのパラメータを計算して求め、このパラメータを水質予測部に対して入力するパラメータ計算入力部からなることを特徴とする請求項１記載の下水処理場の運転管理システム。
【請求項３】
水質予測部は長期間にわたる状態量に基づいて、所望の期間に関する水質シミュレーションを行なうことを特徴とする請求項１記載の下水処理場の運転管理システム。
【請求項４】
入出力部は運転条件を入力する入力部と、水質シミュレーションの結果が出力される出力部とを有することを特徴とする請求項１記載の下水処理場の運転管理システム。
【請求項５】
データ蓄積部は下水処理場の状態量の一部として流域の降雨情報に基づいて予測された流入水量を蓄積することを特徴とする請求項１記載の下水処理場の運転管理システム。
【請求項６】
データ蓄積部は下水処理場の状態量の一部として流域の降雨情報に基づいて予測された流入水質を更に蓄積することを特徴とする請求項５記載の下水処理場の運転管理システム。
【請求項７】
下水処理場は、入出力部に接続されたＣＲＴ画面を有するＣＲＴ制御部を含み、入出力部から送られる運転条件および水質シミュレータの結果がＣＲＴ制御部のＣＲＴ画面に表示されることを特徴とする請求項１記載の下水処理場の運転管理システム。
【請求項８】
下水処理場は、入出力部およびＣＲＴ制御部に各々接続され、下水処理場を運転管理するコントローラを有し、入出力部から送られる運転条件および水質シミュレーションの結果がコントローラに送られることを特徴とする請求項７記載の下水処理場の運転管理システム。
【請求項９】
複数の下水処理場における状態量に基づいて水質シミュレーションを行なう、下水処理場の運転管理システムであって、
各下水処理場の運転条件を入力する入出力部と、
各下水処理場から送られる状態量を蓄積するデータ蓄積部と、
予め水質シミュレータが内蔵され、データ蓄積部からの状態量と入出力部からの各下水処理場の運転条件とに基づいて各下水処理場の水質シミュレーションを行なう水質予測部と、
水質予測部に対して水質シミュレータのパラメータを入力するパラメータ入力部とを備え、
水質予測部で作成された水質シミュレーションの結果を入出力部に出力することを特徴とする下水処理場の運転管理システム。
【請求項１０】
水質予測部は各下水処理場に対する水質シミュレーションを、特定の評価関数を用いて一元的に求めることを特徴とする請求項９記載の下水処理場の運転管理システム。
【発明の詳細な説明】
【技術分野】
【０００１】
本発明は下水処理の運転管理システムに係り、とりわけシミュレーションを行なう技術者の数を削減することができる下水処理場の運転管理システムに関する。
【背景技術】
【０００２】
従来の下水処理場では、一般的に長年の経験や専門知識を持った運転員による監視と判断によって運転をされているが、下水高度処理プロセスの適応などにより、従来の経験のみでは良好な運転を行なうことが困難となってきている。また各下水処理場においては、その構造や、流入水の条件などが異なるため、画一的な目標値における運転制御を行なうことも困難である。
【０００３】
これら問題に対する解決策として、数理モデルに基づいたシミュレータによる運転支援が提案されている。また、これらシミュレータを各下水処理場に設置するのではなく、インターネット回線を利用して水処理事業支援システムに接続し、水処理事業支援システムにてシミュレーションを実施し、各下水処理場へシミュレーションの結果を送信するサービス方法が提案されている（例えば特許文献１および２参照）。
【特許文献１】特開２００２−２４４０６４
【特許文献２】特開２００２−２５１５０５
【発明の開示】
【発明が解決しようとする課題】
【０００４】
上述のように、各下水処理場に設置したシミュレータ等の支援システムを、インターネット回線を利用して１箇所の水処理支援システムに統合し、シミュレーションの結果を返信するサービスにおいては、各下水処理場から水処理支援システムに対してシミュレーション用の運転条件を送ることになる。このため各下水処理場にシミュレーションの内容を理解できる技術者が必要となり、かつ各下水処理場においてシミュレーションの結果を調整することができる技術者が必要となる。
【０００５】
また水処理事業支援システムでは、シミュレータは各下水処理単位で行なわれるため、各下水処理場毎に適正な運転は可能であるが、流域としてみた場合、最適な運転とならない場合がある。
【０００６】
また水処理支援システムでは過去のデータを用いたシミュレーションしか実施できないため、雨天時等の運転変更など、今後起こりうる状態をシミュレーションにて検討することは不可能である。
【０００７】
本発明はこのような点を考慮してなされたものであり、シミュレーションの内容を理解することができる技術者をすべての下水処理場に配置する必要がない下水処理の運転管理システムを提供することを目的とする。
【課題を解決するための手段】
【０００８】
本発明は、下水処理場における状態量に基づいて水質シミュレーションを行なう、下水処理場の運転管理システムであって、下水処理場の運転条件を入力する入出力部と、下水処理場から送られる状態量を蓄積するデータ蓄積部と、予め水質シミュレータが内蔵され、データ蓄積部からの状態量と入出力部からの運転条件とに基づいて水質シミュレーションを行なう水質予測部と、水質予測部に対して水質シミュレータのパラメータを入力するパラメータ入力部とを備え、水質予測部で作成された水質シミュレーションの結果を入出力部に出力することを特徴とする下水処理場の運転管理システムである。
【０００９】
本発明は、パラメータ入力部は、データ蓄積部からの状態量に基づいて所望のサイクルで水質シミュレータのパラメータを計算して求め、このパラメータを水質予測部に対して入力するパラメータ計算入力部からなることを特徴とする下水処理場の運転管理システムである。
【００１０】
本発明は、水質予測部は長期間にわたる状態量に基づいて、所望の期間に関する水質シミュレーションを行なうことを特徴とする下水処理場の運転管理システムである。
【００１１】
本発明は、入出力部は運転条件を入力する入力部と、水質シミュレーションの結果が出力される出力部とを有することを特徴とする下水処理場の運転管理システムである。
【００１２】
本発明は、データ蓄積部は下水処理場の状態量の一部として流域の降雨情報に基づいて予測された流入水量を蓄積することを特徴とする下水処理場の運転管理システムである。
【００１３】
本発明は、データ蓄積部は下水処理場の状態量の一部として流域の降雨情報に基づいて予測された流入水質を更に蓄積することを特徴とする下水処理場の運転管理システムである。
【００１４】
本発明は、下水処理場は、入出力部に接続されたＣＲＴ画面を有するＣＲＴ制御部を含み、入出力部から送られる運転条件および水質シミュレータの結果がＣＲＴ制御部のＣＲＴ画面に表示されることを特徴とする下水処理場の運転管理システムである。
【００１５】
本発明は、下水処理場は、入出力部およびＣＲＴ制御部に各々接続され、下水処理場を運転管理するコントローラを有し、入出力部から送られる運転条件および水質シミュレーションの結果がコントローラに送られることを特徴とする下水処理場の運転管理システムである。
【００１６】
本発明は、複数の下水処理場における状態量に基づいて水質シミュレーションを行なう、下水処理場の運転管理システムであって、各下水処理場の運転条件を入力する入出力部と、各下水処理場から送られる状態量を蓄積するデータ蓄積部と、予め水質シミュレータが内蔵され、データ蓄積部からの状態量と入出力部からの各下水処理場の運転条件とに基づいて各下水処理場の水質シミュレーションを行なう水質予測部と、水質予測部に対して水質シミュレータのパラメータを入力するパラメータ入力部とを備え、水質予測部で作成された水質シミュレーションの結果を入出力部に出力することを特徴とする下水処理場の運転管理システムである。
【００１７】
本発明は、水質予測部は各下水処理場に対する水質シミュレーションを特定の評価関数を用いて一元的に求めることを特徴とする下水処理場の運転管理システムである。
【発明の効果】
【００１８】
以上説明したように、水質予測部に対して運転条件を入力しかつ水質予測部からの水質シミュレーションの結果が出力される入出力部を、下水処理場から切離して設置することができる。このためすべての下水処理場に、シミュレーションの内容が理解できる技術者を配置する必要はなく、技術者の数の削減を図ることができる。
【発明を実施するための最良の形態】
【００１９】
第１の実施の形態
以下、図面を参照して本発明の一実施の形態について説明する。図１は本発明による下水処理場の運転管理システムの第１の実施の形態を示す図である。
【００２０】
図１に示すように、下水処理場の運転管理システムは、下水処理場１の運転管理を行なうものである。
【００２１】
下水処理場１は、下水が流入する最初沈殿池１ａと、ばっ気槽１ｂと、下水を処理して得られる処理水を排出する最終沈殿池１ｃとからなり、ばっ気槽１ｂには循環ポンプ１ｄが設置されている。また最終沈殿池１ｃとばっ気槽１ｂとは返送汚泥ポンプ１ｅにより接続されている。
【００２２】
また、下水処理場１には、流量計、濃度計、水質計等の各種計測器２が設置されている。
【００２３】
また下水処理場１内の各種計測器２はデータ収集装置４に接続され、このデータ収集装置４はＣＲＴ画面を有するＣＲＴ制御部３に接続されている。
【００２４】
下水処理場の運転管理システム１０は、主として下水処理場１から離れた場所に設置されたリモートセンタ１１内に配置され、下水処理場１と運転管理システム１０とは通信回線５を介して接続されている。
【００２５】
この運転管理システム１０は、下水処理場１の運転条件を入力するとともに、後述する水質シミュレーションの結果が出力される入出力部１４と、下水処理場１のデータ収集装置４から通信回線５を介して送られてきた状態量を蓄積するデータ蓄積部１２と、予め水質シミュレータが内蔵され、データ蓄積部１２からの状態量と入出力部１４から入力された運転条件とに基づいて水質シミュレーションを行なう水質予測部１３とを備えている。
【００２６】
また水質予測部１３によって行なわれた水質シミュレーションの結果は、入出力部１４に出力されるようになっている。
【００２７】
なお、入出力部１４はリモートセンタ１１内に設置してもよく、下水処理場１に設置してもよい。
【００２８】
次にこのような構成からなる本実施の形態の作用について説明する。  
まず下水が最初沈殿池１ａからばっ気槽１ｂに入り、ばっ気槽１ｂから最終沈殿池１ｃを経て順次処理され、最終沈殿池１ｃから処理水として外方へ排出される。
【００２９】
この間、下水処理場１の運転状況は計測器２により状態量として計測され、この状態量はデータ収集装置４において収集された後、ＣＲＴ制御部３から入力される情報とともに通信回路５を介してリモートセンタ１１に設置された運転管理システム１０のデータ蓄積部１２に蓄積される。
【００３０】
次にデータ蓄積部１２に蓄積された状態量は水質予測部１３に送られ、この水質予測部１３において水質シミュレーションが行なわれる。
【００３１】
水質予測部１３では、ＩＷＡの活性汚泥モデルなどの水質シミュレーションが内蔵されており、各下水処理場１の土木構造などに併せたシミュレータのパラメータが運転条件として入出力部１４を操作することによりパラメータ入力部１５を介して水質予測部１３に入力される。
【００３２】
水質予測部１３は入力された運転条件と、データ蓄積部１２からの状態量とに基づいて水質シミュレーションを用いて下水処理場の運転シミュレーションを行ない、放流水質および運転コスト等の計算結果を求める。水質予測部１３において作成された計算結果は、入出力部１４に出力される。
【００３３】
次に入出力部１４に出力された水質シミュレーションの結果をみて、技術者が下水処理場の運転方法の検討を行なう。
【００３４】
このように入出力部１４を介して水質シミュレーションの結果を認識した専門知識を持つ技術者により運転方法の検討を行なうことが可能となるため、下水処理場１に専門知識を持つ技術者を配置する必要が無く、その下水処理場１に適した運転条件を提供することが可能となる。また運転方法の検討を、リモートセンタ１１を所有する事業者に委託することにより、専門知識を持った技術者が不在の場合でも、その下水処理場１に適した運転条件を提供することが可能となる。
【００３５】
また、水質予測部１３においてシミュレーションを実施するに当たり、データ蓄積部１２に蓄積されたデータのうち、任意の期間のデータを用いてシミュレーションをすることが可能となるため、前年度の状態と今年度の状態などを比較検討することが可能となる。
【００３６】
以上のように本実施の形態によれば、専門知識を持つ技術者が減少した場合においても、任意の場所から運転条件を検討することが可能となり、下水処理場１の運転に必要な運転データを得ることが可能となり、下水処理場１の運転を適正化することが可能となる。
【００３７】
第２の実施の形態
次に図２により本発明の実施の形態について説明する。  
図２に示す第２の実施の形態は、運転管理システム１０がデータ蓄積部１１からの状態量に基づいて所望のサイクルで水質シミュレータのパラメータを計算して求め、このパラメータを水質予測部に対して入力するパラメータ計算入力部１６を有する点が異なるのみであり、他は図１に示す第１の実施の形態と略同一である。
【００３８】
図２において、図１に示す第１の実施の形態と同一部分には同一符号を符して詳細な説明は省略する。
【００３９】
図２において、下水処理場１の運転状況（状態量）は、計測器２を介してデータ収集装置４に収集され、ＣＲＴ制御部３からの情報とともに通信回線５を経由してリモートセンタ１１の内部に設置されたデータ蓄積部１２に保管される。
【００４０】
水質予測部１３には、ＩＷＡの活性汚泥モデルなどの水質シミュレータが内蔵されている。下水処理場１の土木構造などに併せたシミュレータのパラメータは、気象条件、季節等による微生物の反応特性の相違を考慮するために多数のモデル定数が含まれており、モデル定数を決定するためには専門的な知識を持った技術者が必要となる。
【００４１】
データ蓄積部１２に蓄積された過去のデータに基づいて任意のタイミングで（所望のサイクルで）パラメータ計算入力部１６にてパラメータが自動的に計算され、データ蓄積部１２に蓄積されたデータを基に流入水質、気温などの変動により変化した最適パラメータが求められる。この最適パラメータはその後、パラメータ計算入力部１６から水質予測部１３に送られて、この水質予測部１３において水質シミュレータが実施される。
【００４２】
このように本実施の形態によれば、水質予測部１３において用いられるパラメータを常時適したものに維持することが可能となるため、実際の状況にあわせた水質シミュレーションを実施することが可能となる。
【００４３】
このように、パラメータ調整に関する専門知識を持った技術者が不在の場合においても、自動的にパラメータ調整をすることが可能となり、実際の状況にあわせたシミュレーションによる検討を実施することが可能となる。
【００４４】
第３の実施の形態
次に図３により本発明の第３の実施の形態について説明する。  
図３に示す第３の実施の形態は、入出力部が運転条件を入力する入力部１４ａと、水質シミュレーションの結果が出力される出力部１４ｂとからなる点が異なるのみであり、他は図１に示す第１の実施の形態と略同一である。図３において、図１に示す第１の実施の形態と同一部分には同一符号を符して詳細な説明は省略する。
【００４５】
図３において、下水処理場１の運転状況（状態量）は、計測器２を介してデータ収集装置４に収集され、ＣＲＴ制御部３からの情報とともに通信回線５を経由してリモートセンタ１１の内部に設置されたデータ蓄積部１２に保管される。
【００４６】
水質予測部１３には、ＩＷＡの活性汚泥モデルなどの水質シミュレータが内蔵されており、入力部１４ａを操作することにより、下水処理場１の土木構造などに併せたシミュレータのパラメータが運転条件としてパラメータ入力部１５により水質予測部１３に入力される。水質予測部１３ではデータ蓄積部１２からの状態量と、運転条件に基づいてシミュレーションが行なわれる。水質予測部１３で求めたその運転条件における放流水質、運転コストなどの計算結果は出力部１４ｂに出力される。
【００４７】
本実施の形態によれば、出力部１４ｂからの情報に基づいて技術者により運転方法の検討を行なうことが可能となる。
【００４８】
この場合、入力部１４ａを下水処理場１に設置し、出力部１４ｂをリモートセンタ１１に設置し、専門知識の少ない技術者が入力部１４ａから運転条件等を入力し、専門知識を有する技術者が出力部１４ｂにおいて監視することにより、出力部１４ｂにて監視を行なっている技術者による確認を行なうことが可能となり、専門知識の少ない技術者のＯＪＴツールとしてこの運転管理システム１０を使用することが可能となる。また、出力部１４ｂの監視を、リモートセンタ１１を所有する事業者に委託することにより、専門知識を持った技術者が下水処理場１に不在の場合でも、不適切な運転条件の入力を防止することが可能となり、放流水質の悪化などを防止することが出来る。
【００４９】
以上のようにこの運転管理システム１０を用いて、専門知識の少ない技術者のＯＪＴを実施することが可能となり、技術者の技術力の向上を図ることが可能となる。
【００５０】
第４の実施の形態
次に図４により本発明の第４の実施の形態について説明する。  
図４に示す第４の実施の形態は、下水処理場１が降雨情報に基づいて下水の流入水量を予測する流入予測部１８を有し、流入予測部１８で予測された流入水量が状態量の一部としてデータ収集装置４に収集される点が異なるのみであり、他の構成は図１に示す第１の実施の形態と略同一である。
【００５１】
図４において、図１に示す第１の実施の形態と同一部分には同一符号を符して詳細な説明は省略する。
【００５２】
図４において、下水処理場１の運転状況（状態量）は、計測器２を介してデータ収集装置４に収集され、ＣＲＴ制御部３からの情報とともに通信回線５を経由してリモートセンタ１１の内部に設置されたデータ蓄積部１２に保管される。また降雨情報収集装置１７にて収集された流域の降雨情報に基づいて、流入予測部１８において下水の流入水量が予測される。この流入予測部１８において予測された流入水量は、データ収集装置４に状態量として収集され、通信回線５を経由してリモートセンタ１１の内部に設置されたデータ蓄積部１２に保管される。
【００５３】
ここで、降雨情報収集装置１７により収集された降雨情報をデータ収集装置４にて収集し、リモートセンタ内に設置された流入予測部（図示せず）において水量を予測しても良い。
【００５４】
水質予測部１３には、ＩＷＡの活性汚泥モデルなどの水質シミュレータが内蔵されており、入出力部１４を操作することにより各下水処理場１の土木構造などに併せたシミュレータのパラメータが運転条件としてパラメータ入力部１５により水質予測部１３に入力される。水質予測部１３ではデータ蓄積部１２からの状態量と、運転条件とに基づいてシミュレーションが行なわれる。水質予測部１３で求めたその運転条件における放流水質、運転コストなどの計算結果は入出力部１４に出力される。
【００５５】
本実施の形態によれば、雨天時に流入水量が急変した場合、流入水量の予測値を用いて、入出力部１４にいる専門知識を持った技術者により運転方法の検討を行なうことができる。このように急変時における最適な運転方法を決定することが可能となるため、雨天時等の水量、水質の変動時においても適正な運転を行なうことが可能となり、下水処理場の放流水質を向上させることができる。
【００５６】
以上のように、雨天時などの流入水量の急変時においても、適正な運転方法を決定することが可能となり、下水処理場の放流水質を向上させることができる。
【００５７】
第５の実施の形態
次に図５により本発明の第５の実施の形態について説明する。  
図５に示す第５の実施の形態は、下水処理場１に降雨情報に基づいて下水の流入水質を予測する水質予測部１９を設け、水質予測部１９で予測された流入水質をデータ収集装置４に送るものであり、他の構成は図４に示す第４の実施の形態と略同一である。
【００５８】
図５において、下水処理場１の運転状況（状態量）は、計測器２を介してデータ収集装置４に収集され、ＣＲＴ制御部３からの情報とともに通信回線５を経由してリモートセンタ１１の内部に設置されたデータ蓄積部１２に保管される。また降雨情報収集装置１７により収集された流域の降雨情報に基づいて、流入予測部１８において下水の流入水量が予測され、かつ流入水質予測部１９において下水の流入水質が予測される。これら予測された流入水量と流入水質は、状態量の一部としてデータ収集装置４により収集され、通信回線５を経由してリモートセンタ１１の内部に設置されたデータ蓄積部１２に保管される。
【００５９】
水質予測部１３では、ＩＷＡの活性汚泥モデルなどの水質シミュレータが内蔵されており、入出力部１４を操作することにより、各下水処理場１の土木構造などに併せたシミュレータのパラメータが運転条件としてパラメータ入力部１５により水質予測部１３に入力される。水質予測部１３ではデータ蓄積部１２からの状態量と、運転条件とに基づいてシミュレーションが行なわれる。水質予測部１３で求めたその運転条件における放流水質、運転コストなどの計算結果は入出力部１４に出力される。
【００６０】
本実施の形態によれば、雨天時に流入水量が急変した場合、流入水量および流入水質の予測値を用いて、入出力部１４にいる専門知識を持つ技術者により運転方法の検討を行なうことができる。このように急変時における最適な運転方法を決定することが可能となるため、雨天時等の水量、水質の変動時においても適正な運転を行なうことが可能となり、下水処理場の放流水質を向上させることが可能となる。
【００６１】
以上のように、雨天時などの流入水量の急変時においても、適正な運転方法を決定することが可能となり、下水処理場の放流水質を向上させることができる。
【００６２】
第６の実施の形態
次に図６により本発明の第６の実施の形態について説明する。図６に示す第６の実施の形態は、下水処理場のＣＲＴ制御部３と、入出力部１４とを接続し、入出力部１４から入力される運転条件、および入出力部１４に出力される水質シミュレーションの結果をＣＲＴ制御部３のＣＲＴ画面に表示したものである。
【００６３】
他の構成は図１に示す第１の実施の形態と略同一である。図６において、図１に示す第１の実施の形態と同一部分については同一符号を符して詳細な説明は省略する。
【００６４】
図６において、下水処理場１の運転状況（状態量）は、計測器２を介してデータ収集装置４に収集され、ＣＲＴ制御部３からの情報とともに通信回線５を経由してリモートセンタ１１の内部に設置されたデータ蓄積部１２に保管される。
【００６５】
水質予測部１３には、ＩＷＡの活性汚泥モデルなどの水質シミュレータが内蔵されており、入出力部１４を操作することにより、各下水処理場１の土木構造などに併せたシミュレータのパラメータが運転条件としてパラメータ入力部１５により水質予測部１３に入力される。水質予測部１３ではデータ蓄積部１２からの状態量と、運転条件とに基づいてシミュレーションが行なわれる。水質予測部１３で求めたその運転条件における放流水質、運転コストなどの計算結果は、入出力部１４に出力される。
【００６６】
入出力部１４にいる専門知識を持つ技術者が、入出力部１４から運転条件を入力する。またこの技術者は計算結果から運転方法の検討を行い、決定した運転条件を入出力部１４から下水処理場１のＣＲＴ制御部３のＣＲＴ画面に表示することにより、下水処理場１にいる運転員に対して指示を行なうことができる。
【００６７】
このようにしてＣＲＴ制御部３のＣＲＴ画面を通して指示された運転条件を運転員が運転条件として入力を行うことにより、下水処理場１に専門知識を持った技術者を配置されていなくても、その処理場に適した運転条件を提供することが可能となる。また運転方法の検討を、リモートセンタ１１を所有する事業者に委託することにより、専門知識を持った技術者が不在の場合でも、その下水処理場に適した運転条件を提供することが可能となる。
【００６８】
次に図７により本発明の変形例について説明する。  
図７に示すように、専門知識を持った技術者が、入出力部１４から運転条件を入力し、入出力部１４に出力されるシミュレーションの計算結果から運転方法の検討を行なうことが出来る。このとき、決定した運転条件を入出力部１４から直接下水処理場１のコントローラ２０に入力することにより、下水処理場１を遠隔的にコントロールすることが可能となり、運転員の不足を補うことが可能となる。なお、コントローラ２０は下水処理場１の運転管理を行なうものであり、ＣＲＴ制御部３とデータ収集装置４との間に設けられている。
【００６９】
以上のように本実施の形態によれば、専門知識を持った技術者が減少した場合においても、入出力部１４のある場所で運転条件を検討し、かつその結果を下水処理場１の運転員に連絡し、あるいは直接コントローラ２０に入力することにより、下水処理場１の運転に必要な制御量のデータを得ることが可能となる。このため下水処理場の運転を適正化することが可能となり、運転員の削減を行なうことが可能となる。
【００７０】
第７の実施の形態
次に図８により本発明の第７の実施の形態について説明する。図８に示す第７の実施の形態は、複数の下水処理場１が設置され、運転管理システム１０に各下水処理場１からのデータ収集装置４を接続したものである。他の構成は図１に示す第１の実施の形態と略同一である。
【００７１】
図８において、各下水処理場１の運転状況（状態量）は、計測器２を介してデータ収集装置４に収集され、ＣＲＴ制御装置３からの情報とともに通信回線５を経由してリモートセンタ１１の内部に設置されたデータ蓄積部１２に保管される。
【００７２】
水質予測部１３には、ＩＷＡの活性汚泥モデルなどの水質シミュレータが内蔵されており、入出力部１４を操作することにより各下水処理場１の土木構造などに併せたシミュレータのパラメータが運転条件としてパラメータ入力部１５により水質予測部１３に入力される。水質予測部１３ではデータ蓄積部１２からの状態量と、各下水処理場１の運転条件とに基づいてシミュレーションが行なわれる。水質予測部１３で求めたその運転上条件における放流水質、運転コストなどの計算結果が入出力部１４に出力される。
【００７３】
入出力部１４にいる専門知識を持った技術者が、複数の下水処理場１に対する運転方法の検討を行なうことが可能となるため、専門知識を持った技術者が少数しか存在しない場合においても、その下水処理場１に適した運転条件を提供することが可能となる。また運転方法の検討を、リモートセンタ１１を所有する事業者に委託することにより、専門知識を持った技術者が不在の場合でも、その下水処理場１に適した運転条件を提供することが可能となる。
【００７４】
また、水質予測部１３において、複数の下水処理場の放流水質、運転コストなどをある評価関数にして一元的に評価を行ない、トレードオフの関係にある放流水質、運転コストを複数の下水処理場１全体で最適化することも可能となる。
【００７５】
以上のように、本実施の形態によれば、専門知識を持つ技術者が減少した場合においても、任意の場所から複数の下水処理場１に対する運転条件を検討することが可能となる。また個々の下水処理場１の運転に必要な制御量のデータを得ることが可能となり、下水処理場の運転を適正化することが可能となる。あるいは、複数の下水処理場１全体における運転を最適化することにより、下水処理事業者の運用コストの最小化などを実現することも可能となる。
【図面の簡単な説明】
【００７６】
【図１】本発明による下水処理場の運転管理システムの第１の実施の形態を示す図。
【図２】本発明による下水処理場の運転管理システムの第２の実施の形態を示す図。
【図３】本発明による下水処理場の運転管理システムの第３の実施の形態を示す図。
【図４】本発明による下水処理場の運転管理システムの第４の実施の形態を示す図。
【図５】本発明による下水処理場の運転管理システムの第５の実施の形態を示す図。
【図６】本発明による下水処理場の運転管理システムの第６の実施の形態を示す図。
【図７】本発明による下水処理場の運転管理システムの第６の実施の形態の変形例を示す図。
【図８】本発明による下水処理場の運転管理システムの第７の実施の形態を示す図。
【符号の説明】
【００７７】
１  下水処理場
２  計測器
３  ＣＲＴ制御部
４  データ収集装置
５  通信回線
１０  下水処理の運転管理システム
１１  リモートセンタ
１２  データ蓄積部
１３  水質予測部
１４  入出力部
１４ａ  入力部
１４ｂ  出力部
１５  パラメータ入力部
１６  パラメータ計算入力部
１７  降雨情報収集装置
１８  流入予測部
１９  水質予測部
２０  コントローラ
【図１】
2006095440.tif 000003
【図２】
2006095440.tif 000004
【図３】
2006095440.tif 000005
【図４】
2006095440.tif 000006
【図５】
2006095440.tif 000007
【図６】
2006095440.tif 000008
【図７】
2006095440.tif 000009
【図８】
2006095440.tif 000010